Podtech/llm-jp-corpus-v4-ja_patent huggingface dataset:
(57)【要約】      （修正有）【課題】脱げにくく、さらに怪我をしない、利用者にとって履き心地のよい履物を提供する。【解決手段】履物の履き口の後方部分を、履物１の他の部分とは異なるゴムやバネなどの伸縮部材２によって形成する。また、当該伸縮部材を履物の他の部分と同じ柄の柔らかい生地で包む。さらに、ヒールがない履物やローヒールの履物の場合には、当該伸縮部材の長さの履物の全長に対する割合が５パーセントから１０パーセントの範囲内であり、ハイヒールの場合は、その割合が１０パーセントから２０パーセントとする。【選択図】図１
0003147634.tif 000002
【実用新案登録請求の範囲】
【請求項１】
履き口の後方部分がゴム又はバネなどの伸縮部材で構成された履物
【請求項２】
伸縮部材で構成された部分の側面視の長さが、履物の全長の５パーセントから１０パーセントの範囲内であることを特徴とする請求項１記載の履物
【請求項３】
請求項１記載の伸縮部材で構成された部分の側面視の長さが、履物の全長の１０パーセントから２０パーセントの範囲内であることを特徴とするヒール付き婦人用履物
【考案の詳細な説明】
【技術分野】
【０００１】
本考案は、履物に関する。
【背景技術】
【０００２】
従来の履物は、靴全体が同じ部材で構成されており、したがって、履き口の後方部分も他の構成部分と同じ部材、例えば革や合成樹脂などで構成されている。
【考案の開示】
【考案が解決しようとする課題】
【０００３】
しかしながら、履き口の踵部分も他の構成部分と同じ部材、例えば革や合成樹脂などで構成されていることから、手などを使わなければ履きにくく、履いた場合に靴の足に対する密着性がなく、そのため非常に脱げやすくなってしまっている。また、一般的に、履物の構成部材は革や合成樹脂などの固い部材であることが多いが、それでは歩く度に足首周辺が履き口に当たってしまい、怪我をしてしまうということもある。
【０００４】
そこで、本考案は、脱げにくく、さらに怪我をせず、むしろ利用者の履き心地をよくする履物を提供することを目的とする。
【課題を解決するための手段】
【０００５】
当該目的を達成するために、履き口の構造について試行錯誤した結果、本考案を完成させた。
【０００６】
本考案の請求項１の履物は、履き口の後方部分が、履物の他の部分とは異なるゴムやバネなどの伸縮部材によって形成されていることを特徴とするものである。
【０００７】
請求項２の履物は、伸縮部材によって構成されている部分を側面から見た場合に、履物の全長に対する伸縮部材の部分の長さの割合が５パーセントから１０パーセントの範囲内であることを特徴とするものである。
【０００８】
請求項３の履物は、伸縮部材によって構成されている部分を側面から見た場合に、履物の全長に対する伸縮部材の部分の長さの割合が１０パーセントから２０パーセントの範囲内であることを特徴とするハイヒール付き婦人用履物である。
【考案の効果】
【０００９】
本考案の履物は、履き口の後方部分を履物の他の部分と同じ部材で製造した履物に比して、本考案の履物を履いた際、伸縮部材であるがゆえ、履き口の後方部分が足の形に添って足首に密着し、履物が脱げにくくなる。
【００１０】
また、一般的に、履物は革などの比較的固い素材で構成されているところ、履き口の後方部分が伸縮部材の中でも、特にゴムなどの柔らかい素材であれば、歩く度に履き口の後方部分が足首に当たって怪我をするなどということがなくなる。
【００１１】
それらの効果により、本考案の履物を履いた際の使用者にとっての履き心地が非常に良くなる。
【考案を実施するための最良の形態】
【００１２】
本考案の履き口の後方部分の伸縮部材は、ゴムやバネなど、伸縮性のある部材であれば、その種類は問わないが、そのゴムやバネを履物の他の部分と同じ柄の柔らかい生地で包むことが必要である。
当該伸縮部材の長さはどれほどであっても、前述の考案の効果を奏することはできるが、ヒールがない履物又はローヒールの履物であれば、履物の全長に対する伸縮部材の長さの割合が５パーセントから１０パーセントの範囲内、ハイヒールの履物であれば、履物の全長に対する伸縮部材の長さの割合が１０パーセントから２０パーセントの範囲内であることが望ましい。それら以下だと伸縮部材の範囲が狭く、足への密着部分が少なくなってしまうことから、脱げやすくなってしまい、それら以上だと伸縮部材の範囲が広すぎて履物が履きづらくなってしまうからである。
【図面の簡単な説明】
【００１３】
【図１】本考案の履物の実施例の斜視図である（実施例１）。
【図２】本考案の履物の実施例の斜視図である（実施例２）。
【符号の説明】
【００１４】
１  履物
２  伸縮部材
【図１】
0003147634.tif 000003
【図２】
0003147634.tif 000004
【手続補正書】
【提出日】平成20年10月30日(2008.10.30)
【手続補正３】
【補正対象書類名】実用新案登録請求の範囲
【補正対象項目名】請求項２
【補正方法】変更
【補正の内容】
【請求項２】
履き口の後方部分がゴム又はバネなどの伸縮部材で構成された履物の、伸縮部材で構成された部分の側面視の長さが、履物の全長の５パーセントから１０パーセントの範囲内であることを特徴とする請求項１記載の履物
【手続補正４】
【補正対象書類名】実用新案登録請求の範囲
【補正対象項目名】請求項３
【補正方法】変更
【補正の内容】
【請求項３】
履き口の後方部分がゴム又はバネなどの伸縮部材で構成された履物の、伸縮部材で構成された部分の側面視の長さが、履物の全長の１０パーセントから２０パーセントの範囲内であることを特徴とする請求項１記載の履物
(57)【要約】      （修正有）【課題】天然石を用いて構成された本体と目的に応じて着脱可能なチャームを備えた装飾品、また、本体各々が天然石ヘマタイトの磁力により引き付くペア装飾品を提供する。【解決手段】天然石を用いて構成される本体に取付部Ａを設ける。チャームは、デザインパーツや各種天然石１に開閉式フックを設ける。本体の取付部Ａにチャームの開閉式フックを連結させることにより、着脱・交換可能な構造とする。また、磁力を持つ天然石ヘマタイト２を使用する。各種天然石１と天然石へマタイト２をテグスや弾性体等の紐３で連ねて上記装飾品を構成する。【選択図】図１
0003147617.tif 000002
【実用新案登録請求の範囲】
【請求項１】
云われや効果を持つといわれる天然石を用いて構成され、取付部（Ａ）を設けた本体とデザインパーツや各種天然石等に開閉式フック（Ｂ）を設けた着脱・交換可能なチャームから成る装飾品。
【請求項２】
天然石ヘマタイトの磁力を利用し、磁石が引き付け合うことを愛する者同士が惹き付け合う意味として楽しむためのペア装飾品。
【考案の詳細な説明】
【考案の詳細な説明】
【技術分野】
【０００１】    この発明は、日常持ち歩く携帯電話や小物の装飾品、また、装身用の装飾品に関するものである。
【背景技術】
【０００２】    従来より天然石を用い、その云われや効果を期待する装飾品があった。
【考案が解決しようとする課題】
【０００３】    従来は目的に合った装飾品をそれぞれ購入しなければならなかった。
【０００４】    また、ペア装飾品として天然石の磁力を利用し、引き付くものはなかった。
【０００５】    本考案は、これらの問題を解決するためになされたものであり、その目的とするところは、本体１つに対し、気分や目的に応じてチャームが選択可能であって、容易に着脱・交換ができる装飾品、また、当該装飾品各々の引き付きを確かめられることで、ペアで所有する楽しみと喜びを得ることができる装飾品を提供することを課題とするものである。
【課題を解決するための手段】
【０００６】    上記目的を達成するために、天然石を用いて構成される本体に取付部Ａを設けて成るものとする。
【０００７】    また、チャームは、デザインパーツや各種天然石に開閉式フックＢを設けて成るものとする。
【０００８】    本体の取付部Ａにチャームの開閉式フックＢを連結させることにより、着脱・交換可能な構造とする。
【０００９】    また、磁力を持つ天然石ヘマタイトを使用する。
【考案を実施するための最良の形態】  本体は、各種天然石１と天然石ヘマタイト２をテグスや弾性体等の紐３で連ね、取付部Ａを設ける。【００１０】  チャームは、デザインパーツ４や各種天然石５に開閉式フックＢを設け、本体に着脱・交換可能な構造とする。
【考案の効果】
【００１１】  本考案は、上述のとおり構成されているので、次に記載する効果を奏する。
【００１２】  本考案により、購入時に本体１つに対し様々なチャームの中から気分や目的に合わせたものを選ぶことがができる。
【００１３】  また、本体１つと複数のチャームを所有することで、当該チャームを気分や目的に合わせて容易に着脱・交換することができる。
【００１４】  本体各々の磁力による引き付きを確かめられることで、ペアで所有する楽しみと喜びを得ることができる。
【図面の簡単な説明】
【図１】本体
【図２】デザインパーツを用いたチャーム
【図３】各種天然石を用いたチャーム
【符号の説明】
Ａ  取付部
Ｂ  開閉式フック
１  各種天然石
２  天然石ヘマタイト
３  紐
４  デザインパーツ
５  各種天然石
【図１】
0003147617.tif 000003
【図２】
0003147617.tif 000004
【図３】
0003147617.tif 000005
【手続補正書】
【提出日】平成20年10月30日(2008.10.30)
【手続補正１】
【補正対象書類名】実用新案登録請求の範囲
【補正対象項目名】請求項２
【補正方法】変更
【補正の内容】
【請求項２】
前記天然石が磁力を持つ天然石ヘマタイトであることを特徴とする請求項１記載の装飾品。
(57)【要約】      （修正有）【課題】人に頼むことなく手の届かないところに塗布薬を自分自身で塗ることのできる塗布薬らくらく棒を提供する。【解決手段】伸縮する柄は最長６３ｃｍに延び、柄のヘッドに直径６ｃｍの丸枠を２本付けたことを特徴とする塗布薬らくらく棒である。柄の先、ヘッドが前後に首振りするので筋肉痛などの塗布薬を丸枠に取り付けることにより手の届かない患部に自分自身で塗ることができる器具となる。【選択図】図１
0003147619.tif 000002
【実用新案登録請求の範囲】
【請求項１】
身体、特に背中など手の届かない所に薬を塗布する器具。腰痛などで体調を悪くしたときなど自分自身で、どこにでも塗ることができ快復を早める。
【考案の詳細な説明】
【技術分野】
【０００１】  本考案は、柄が伸縮しヘッドが前後に首振りするので塗布薬を取り付けることにより手の届かないところに塗ることができる便利な器具である。
【背景技術】
【０００２】  各家庭に置くことにより、手を借りることなく自分自身で塗布できる。
【考案の開示】
【考案が解決しようとする課題】
【０００３】  自分自身で塗布できることにより一人暮らしの方にはとても便利、また人の手を借りることがないのでもどかしさ、やってもらう申し訳なさがなくなり快適な生活を送ることのできるものである。
【課題を解決するための手段】
【０００４】  伸縮する柄のヘッドのところとヘッドから５ｃｍさがったところをナット付ボルト▲９▼で固定する。ヘッドの高さ３ｃｍに１本、またその下１、５ｃｍのところに２本目の直径６ｃｍの丸枠２本を作る。その丸枠▲３▼、▲４▼に４ｃｍ間隔で▲５▼、▲６▼の丸棒をすべて溶接する。
【考案の効果】
【０００５】  本考案は、仕事や運動による筋肉痛・打身など手の届かない患部に手を借りず、何時でも塗布できるものである。
【考案の実地するための最良の形態】
【０００６】  ０００４で説明した柄の先に鉄板▲１▼、▲２▼を溶接して十字にする。直径６ｃｍの丸枠▲３▼、▲４▼の２本を溶接して輪にする。（下１本目の丸枠に１ｃｍの高さで４箇所▲６▼を溶接。２本目の丸枠には１ｃｍの高さで３箇所▲５▼を溶接する）柄の先端一段目と二段目の間にナット付ネジ切りボルト▲７▼を溶接して固定する。これを柄の先十字にした鉄板に穴を２個あけ鉄板ビス▲８▼で取り付ける。
【実地例】
【０００７】  ０００６で説明した高さ３ｃｍ直径６ｃｍの丸枠の中にプラスチック容器に入ったスティック状の塗布薬を入れナット付ネジ切りボルト▲７▼で固定する。柄の先端が首振りするので患部に調節して塗布することができる。また、０００６で説明した高さ３ｃｍ直径６ｃｍの丸枠の中に符号で説明の▲Ａ▼をナット付ネジ切ボルト▲７▼で固定すると、肩たたきにもなる。
【図面の簡単な説明】
【０００８】
【図１】上面
【図２】正面
【符号の説明】
【０００９】  １    柄  ・・・１本
２    鉄板  長さ６ｃｍ巾１、５ｃｍ厚さ３ｍｍ・・・１枚（▲１▼）
（丸みを付けてカット）
長さ３ｃｍ巾１、５ｃｍ厚さ３ｍｍ・・・２枚（▲２▼）
（丸みを付けてカット）
３    鉄（丸棒）  直径４ｍｍ長さ９ｃｍ・・・２本（▲３▼、▲４▼）
直径４ｍｍ長さ１、２ｃｍ・・・３本（▲５▼）
直径４ｍｍ長さ８ｍｍ・・・４本（▲６▼）
４    ナット付ネジ切りボルト  太さ６ｍｍ長さ４ｃｍ（▲７▼）
５    鉄板ビス  ４ｍｍ・・・２本（▲８▼）
６    ナット付ボルト  ・・・２本（▲９▼）
７    木材  ６ｃｍ×６ｃｍ
球状に加工５ｃｍ×５ｃｍ片面輪郭を残して２ｃｍ抉り取る。そこにゴムボールを木工用セメダインで接着する。反対側を固定できるように１ｃｍカットして平らにする。加工した球状の一点にナット付ネジ切りボルトを差し込む穴を開ける（▲Ａ▼）
【図１】
0003147619.tif 000003
【図２】
0003147619.tif 000004
【図３】
0003147619.tif 000005
【手続補正書】
【提出日】平成20年10月8日(2008.10.8)
【手続補正１】
【補正対象書類名】実用新案登録請求の範囲
【補正対象項目名】全文
【補正方法】変更
【補正の内容】
【実用新案登録請求の範囲】
【請求項１】
▲１▼  伸縮する柄は最長６３ｃｍに延びる。
▲２▼  伸縮する柄のヘッドに直径６ｃｍの丸枠を２本付ける。
よって丸枠にゴムボールを取り付けると肩たたきに、スティック状の塗布薬を付けると、手の届かないところに塗布することのできる塗布薬らくらく棒。
【手続補正２】
【補正対象書類名】明細書
【補正対象項目名】０００５
【補正方法】変更
【補正の内容】
【０００５】  本考案は、仕事や運動による筋肉痛・打ち身など手の届かない患部に手を借りず何時でも塗布できるものである。なお腰痛などで体調を悪くしたときなど、自分自身でどこでも塗ることができ快復を早める。
【手続補正３】
【補正対象書類名】明細書
【補正対象項目名】０００８
【補正方法】変更
【補正の内容】
【０００８】
【図１】  上面
【図２】  正面
【図３】  伸縮する柄のヘッドの丸枠から肩たたきのゴムボールをはずした上面図
(57)【要約】      （修正有）【課題】男女の区別なく簡易に使用出来る化粧直し鏡を提供する。【解決手段】材質を問わない軽薄の鏡を台紙に貼り付け、窓枠の空いた包装紙にて包み込んで成る携帯鏡。コストと重量の点から鏡は、薄い方が望ましいが、強度と薄過ぎて鏡面が曲がり、映る顔が歪まないように配慮する必要がある。適当な厚みの台紙３，６で包み込むのは面積の約半分を鏡面５とし、他半分を手に持つ柄とした。境貼り付け面の四方を折り返し構造にすれば、比較的薄い紙で強度が得られる。【選択図】図１
0003147616.tif 000002
【実用新案登録請求の範囲】
【請求項１】
材質を問わない小型鏡を、窓付包装台紙に貼り付けて、ポケットティッシュなど常時携行品にセットするように構成。
【考案の詳細な説明】
【考案の詳細な説明】
【技術分野】
【０００１】  本考案は、男女の区別なく簡易に使用出来る化粧直し鏡に関するものである。
【背景技術】
【０００２】  所謂化粧道具としての鏡は婦人専用にして、例えば食後など男性では確認しずらいものである。【０００３】  又、ティッシュペーパーへの応用では［特許文献１］に見るようにロールティッシュについてであり、思想も目的も用途も異なる。【０００４】  男性に於いては、風による頭髪の乱れも気になるものであるが、鏡なしで指先の勘で修正した積もりになっているのが現状である。【０００５】  特許文献
【特許文献１】  特許公開  ２００６−１５０００１
【考案が解決しようとする課題】
【０００６】  常時携帯するポケットテイッシュペーパー又はカード入れ、或いは女性必携の油取り紙などとセットになるように構成して、鏡を使用することへの抵抗感をなくすること。
【課題を解決するための手段】
【０００７】  材質を問わない軽薄の鏡を台紙に貼り付け、窓枠の空いた包装紙にて包み込んで成る携帯鏡。
【０００８】  コストと重量の点から鏡は、薄い方が望ましいが、強度と薄過ぎて鏡面が曲がり、映る顔が歪まないように配慮する必要がある。
【考案を実施するための最良の形態】
【０００９】  実施例を［図１］に示したが、包み方をこの方法に限定するものではない。【００１０】  ［図１］に示すように、適当な厚みの台紙（３，６）で包み込むのは面積の約半分を鏡面（５）とし、他半分を手に持つ柄とした。【００１１】  包装前の展開図を［図１］に示すように、境貼り付け面の四方を折り返し構造にすれば、比較的薄い紙で強度が得られる。【００１２】  従って、紙材は１種類で済み、製造し易い。【００１３】  展開図［図１］は鏡面（５）を正面に台紙（３，６）と両側の折返し（２）を山折りして、突起部（１）を切り込み（４）に挿入する構造である。【００１４】  寸法的には、かかる構成で［０００６］で述べた対象物のサイズで製造して挟み込むのである。【００１５】  その包装余白に例えば企業の広告、交通機関の時刻表、或いは人気アニメの印刷などに利用すれば良い。【００１６】  実施例では、鏡面（５）窓枠を正方形としたが、例えば円形、ハート型など自由で、制限するものではない。
【考案の効果】
【００１７】  かかる考案で、従来手段を持たなかった男性達においてすら、例えば食後やつむじ風、果て又地下鉄出入り口等での自然な身だしなみの修復に重宝で、考案の効果に大なるものがある。
【図面の簡単な説明】
【図１】  本考案の展開図の一例
【符号の説明】
１        突起部
２        折り返し
３        台紙
４        切り込み
５        鏡
６        台紙
【図１】
0003147616.tif 000003
【手続補正書】
【提出日】平成20年10月2日(2008.10.2)
【手続補正１】
【補正対象書類名】実用新案登録請求の範囲
【補正対象項目名】全文
【補正方法】変更
【補正の内容】
【実用新案登録請求の範囲】
【請求項１】
軽薄小型鏡を台紙に貼り付けポケットテッシュなどのポケットに挟み込む構造の簡易携帯鏡。
(57)【要約】      （修正有）【課題】揚げおにぎりにおいて、おにぎりの風味、食感を生かし、かつ、温かく、崩れにくく、冷めにくい、簡便で美味しいファストフードとなるように、米から作ったコロモを使用した揚げおにぎりを提供する。【解決手段】おにぎり１に上新粉、米粉など、米から作ったコロモ２を付け食用油で揚げる。このコロモとは上記の米由来の粉を水、湯、油、調味液、果汁、飲料、卵、乳製品など、適宜な液体及び具材、添加食物等と混ぜ合わせたものを言う。上新粉、米粉など、米から作った揚げゴロモを使って揚げることによって、おにぎりとコロモの味が良く馴染み、食味上、食感上ともに自然で美味しく、好ましい結果が得られる。【選択図】図１
0003147618.tif 000002
【実用新案登録請求の範囲】
【請求項１】
米を主材料として作ったおにぎり（味付け、具材は自由とする）に、米から作った粉による揚げゴロモをつけて油で揚げた、揚げおにぎり。
【考案の詳細な説明】
【技術分野】
【０００１】本考案は揚げおにぎりに関するものである。
【背景技術】
【０００２】日本古来の携行食、屋外食として歴史のあるおにぎりであるが、今日に至るまでその調理法、具材、味、食感、温度、形状において、どちらかと言えば保守的であり、ファストフードに適するものがほとんどなかった。
【考案の開示】
【考案が解決しようとする課題】
【０００３】米を主に屋外で食する手段として古来よりオニギリというものがあるが。近年食生活の全体的な洋風化に加え、海外より伝わったハンバーガー、ドーナツなどの軽便食が広く普及することにより、おにぎりを摂食する機会が少なくなっている。本考案はおにぎりという日本古来の食品を新しい形で、新しい層に提供することを目的とする。
【課題を解決するための手段】
【０００４】おにぎりに上新粉、米粉など、米から作ったコロモを付け食用油で揚げる。このコロモとは上記の米由来の粉を水、湯、油、調味液、果汁、飲料、卵、乳製品など、適宜な液体及び具材、添加食物等と混ぜ合わせたものを言う。
【考案の効果】
【０００５】おにぎりを、コロモを付けずにそのまま揚げると表面の米粒がかたくなる。従来のテンプラ粉、パン粉等の小麦系のコロモではその点は改良されるが、おにぎりの米と、コロモの小麦の関係で、食感、食味に違和感、不自然感が残る。上新粉、米粉など、米から作った揚げゴロモを使って揚げることによって、おにぎりとコロモの味が良く馴染み、食味上、食感上ともに自然で美味しく、好ましい結果が得られる。【０００６】上記のおにぎりを業務用、持ち帰り用として、揚げる前の状態で冷凍し、保存、配送することも可能である。またこの揚げおにぎりに、串を刺す、スチロール皿、紙皿に盛る、紙に包むなどの軽便性を付加し、レストラン、スナック、街頭はもちろん、公的機関の推薦、公共広告、イベント、スポーツ観戦、学生食堂、給食などのチャネルを通し、新食品、新食習慣として、低年層、若者にアピールすれば、近年心配されている若者の米離れに対していささかでも歯止めをかけ、ひいては米食拡大、食糧自給率のアップにもつなげることができる。
【図面の簡単な説明】
【０００７】
【図１】本考案に係る揚げおにぎりの実施例を示す概略図。
【図２】本考案に係る揚げオニギリの断面図
【符号の説明】
【０００８】１  おにぎり
２  揚げゴロモ
【図１】
0003147618.tif 000003
【図２】
0003147618.tif 000004
【手続補正書】
【提出日】平成20年10月8日(2008.10.8)
【手続補正１】
【補正対象書類名】実用新案登録請求の範囲
【補正対象項目名】全文
【補正方法】変更
【補正の内容】
【実用新案登録請求の範囲】
【請求項１】
米を主材料とした、具材は自由とする味付けおにぎりに米から作った粉による揚げゴロモをつけて油で揚げた揚げおにぎり。
(57)【要約】      （修正有）【課題】植木鉢、プランターで育成する植物の成育に合わせて、支柱で植物の保護と成育を促す液体肥料の注入を簡便にし、更に支柱間を紐で囲むことにより移動も容易にできる支柱立て付き植木鉢及びプランターを提供する。【解決手段】植木鉢、プランターの形状は、四角、円形、長方形とあって、容器の内側に上辺部分から垂直に底辺部分より上のところまで支柱立孔を、四角形は４隅、円形は十文字４分割の箇所にともに４個、長方形は短辺２隅と長辺部分は２隅と中間部分に２個の計６個の支柱立孔をつける。【選択図】図１
0003147613.tif 000002
【実用新案登録請求の範囲】
【請求項１】
植木鉢及びプランターの内側に支柱立て孔を形成する。
植木鉢底部と支柱立て孔は空間を保ち、支柱孔に培養土が入っても空間を持たせることにより支柱孔の目詰まりを防止、植物の成長に合わせ支柱の取替え、交換を簡便にした植木鉢及びプランター。
【考案の詳細な説明】
【技術分野】
【０００１】  本考案は、植物栽培用の支柱の脱着を簡便にし液体肥料の注入を簡易にした植木鉢、プランターです。
植物育成上欠くことのできない、幹の保護と液体肥料を支柱孔から支柱を立てて植物の保護、又支柱孔から液体肥料を注入ることで植木鉢及びプランター内の底部に流し込み、植物育成を促進します。
幹や葉を支柱で保護することで、植木鉢、プランターの移動も簡単にできるようになる。
【背景技術】
【０００２】  植木鉢及びプランター内で育成する植物は成育の段階で開花、結実をして成長をする、花や実の重力に耐えられない植物の幹に支柱は欠かせない補助具であり、直接支柱を立てることは、植物の根を傷め、又成長に合わせ交換取り替えるときに、根が支柱に絡んで無理に取り替えようとすると植物に負担を掛ける、植木鉢及びプランター内側に付けた支柱孔はこれを改善したもの。
【考案の開示】
【考案が解決しようとす課題】
【０００３】  植物は成長にともなって花及び果実をつけるが、自重や風雨の圧力に耐え切れず、枝、幹に負担が掛って折れたり、また発育成長に連れて葉や脇芽が生い茂り植木鉢からあふれ出しますこのような時、支柱孔から支柱を立て支柱間を紐を廻すことにより、鉢内の植物の成長を促し、植物を傷めずに保護をする。
【問題を解決する手段】
【０００４】  植物の保護は無論、植物に必要な支柱と肥料を支柱孔を植木鉢の底の部分まで着けず、底の部分に空間をつけることにより、成育にあわせた支柱の長短の取替え、支柱孔の目詰まりを解消できる。
【考案の効果】
【０００５】  植物の保護は勿論、育成に伴う支柱の取替え交換、発育を促進さす肥料の抽入も支柱孔からすることにより、直接根元に与えず培養土から根元に吸い上げられて、植物にとってやさしい肥料の与え方となる。
【考案を実施するための最良の形状】
【０００６】  植木鉢、プランターの形状は、四角、円形、長方形とあっても容器の内側に上辺部分から垂直に底辺部分より、上のところまで支柱立孔を、四角形は４隅、円形は十文字４分割の箇所にともに４個、長方形は短辺２隅と長編部分は２隅と中間部分に２個の計６個の支柱立孔をつける
【図面の簡単な説明】
【０００７】
【第１図】
長方形プランターに支柱を立て、紐を掛けた斜視図である
【第２図】
長方形プランター、斜視断面図である。
【第３図】
長方形プランター、平面図である。
【第４図】
四角形植木鉢斜視断面図である。
【第５図】
四角形植木鉢平面図である。
【第６図】
円形植木鉢斜視断面図である。
【第７図】
円形植木鉢平面図である。
【符号の説明】
【０００８】１  植木鉢本体
２  支柱立て
３  支柱孔
４  支柱を立てた図
５  支柱に掛けた紐
【図１】
0003147613.tif 000003
【図２】
0003147613.tif 000004
【図３】
0003147613.tif 000005
【図４】
0003147613.tif 000006
【図５】
0003147613.tif 000007
【図６】
0003147613.tif 000008
【図７】
0003147613.tif 000009
【手続補正書】
【提出日】平成20年10月6日(2008.10.6)
【手続補正１】
【補正対象書類名】実用新案登録請求の範囲
【補正対象項目名】全文
【補正方法】変更
【補正の内容】
【実用新案登録請求の範囲】
【請求項１】
長方形プランターの内側に支柱孔を形成し、支柱孔の取り付け位置は短辺の角と長辺の中間部分の対極にそれぞれ１ヶ所の計６ヶ所に配置、支柱立て孔はプランター上面より垂直に、底辺部より空間を設けた上部位置に設置し、植物の成長に合わせ支柱の高さ長さも調整でき、支柱の取替え交換を簡便にし成長した植物の幹が折れや倒れから、保護すべき補足に支柱間を紐で結ぶことによりプランター内で育成した植物を保護し、プランター内に種まき後、発芽した幼稚芽、植物苗を移植した幼苗時は支柱孔には支柱を立てず、植物の成長を促進  枯衰防止に液体肥料の注入口として対応も可能にし、プランター内の培養土が支柱立て孔に入り目詰まりの解消を簡易にし、支柱を立てやすく可能にした植木鉢又はプランター。
【請求項２】
正方形植木鉢の内側に支柱孔を形成し、支柱孔の取り付け位置は正方形の四隅、各所の計４ヶ所に配置、支柱立て孔は植木鉢上面より垂直に、底辺部より空間を設けた上部位置に設置し、植物の成長に合わせ支柱の高さ長さも調整でき、支柱の取替え交換を簡便にし成長した植物の幹が折れや倒れから、保護すべき補足に支柱間を紐で結ぶことにより植木鉢内で育成した植物を保護し、植木鉢内に種まき後、発芽した幼稚芽、植物苗を移植した幼苗時は支柱孔には支柱を立てず、植物の成長を促進  枯衰防止に液体肥料の注入口として対応も可能にし、植木鉢内の培養土が支柱立て孔に入り目詰まりの解消を簡易にし、支柱を立てやすく可能にした植木鉢又はプランター。
【請求項３】
円形植木鉢の内側に支柱孔を形成し、支柱孔の取り付け位置は円形の中心点から十文字対極の各所の計４ヶ所に配置、支柱立て孔は植木鉢上面より垂直に、底辺部より空間を設けた上部位置に設置し、植物の成長に合わせ支柱の高さ長さも調整でき、支柱の取替え交換を簡便にし成長した植物の幹が折れや倒れから、保護すべき補足に支柱間を紐で結ぶことにより植木鉢内で育成した植物を保護し、植木鉢内に種まき後、発芽した幼稚芽、植物苗を移植した幼苗時は支柱孔には支柱を立てず、植物の成長を促進  枯衰防止に液体肥料の注入口として対応も可能にし、植木鉢内の培養土が支柱立て孔に入り目詰まりの解消を簡易にし、支柱を立てやすく可能にした植木鉢又はプランター。
(57)【要約】      （修正有）【課題】時間が経過しても端面が剥がれたり隙間が出来ることなく、機密性が向上して断熱性能が良くなる断熱パネルを提供する。【解決手段】断面が複数の中空構造で構成され、この中空構造を縦溝方向にして板状に成型し、中空縦溝と直交する２つの端面構造となっている中空構造の複層樹脂板において、この２つの端面を樹脂板又は金属板による封印材料で接着固定した事を特徴とする断熱パネルである。【選択図】図３
0003147620.tif 000002
【実用新案登録請求の範囲】
【請求項１】
中空構造の複層樹脂板において、中空部と直交する２つの端面を封印材料で接着固定した事を特徴とする断熱パネル。
【考案の詳細な説明】
【考案の詳細な説明】
【技術分野】
【０００１】  この考案は、中空構造の複層樹脂板に関するものである。
【背景技術】
【０００２】  従来の技術は図１のごとく、中空構造の複層樹脂板１は製造上の理由から中空部２を形成して製造し、任煮の長さで切断していた。このためこれを断熱材として使う為には端面３をアルミテープや樹脂テープを貼って空気の流れを防止して使っていた。
【問題が解決しようとする課題】
【０００３】  しかしながらこの方法では時間とともにこれらのテープが剥がれたり隙間が出来てしまい、断熱材としての効果が持続できなかった。
【問題を解決するための手段】
【０００４】  本考案は、上記課題を解決する為、
中空構造の複層樹脂板１において、中空部２と直交する２つの端面３を封印材料４で接着固定した事を特徴とする断熱パネルにより解決しようとするものである。
【考案を実施するための最良の形態】
【０００５】  本考案による実施の形態について説明すると、図２のごとく、中空構造の複層樹脂板１の端面３と同じ面積の封印材料４を用意して、接着固定しようとするものである。
【実施例】
【０００６】実施例としては、図３のごとく、
ポリカーボネートを材料とする厚さ１０ｍｍ、長さ１０００ｍｍ、幅１０００ｍｍの中空構造の複層樹脂板１を用意する。
ポリカーボネートを材料とする厚さ１ｍｍ、幅１０ｍｍ、長さ１０００ｍｍの端面３と同じ面積の封印材料４を２枚用意する。
端面３に接着剤を塗布し、封印材料４をそれぞれの端面３に張り合わせる。
こうして、本考案の断熱パネルが完成する。
常圧の環境下で張り合わせをすると、中空部２の気圧は常圧で完成する。
減圧された環境下で張り合わせをすると、中空部２の気圧は減圧されて完成する。
【考案の効果】
【０００８】本考案による断熱パネルにより、時間が経過しても端面３が剥がれたり隙間が出来ない断熱パネルが完成し、機密性が向上するので断熱性能が良くなり、断熱効果が持続するようになる。
【図面の簡単な説明】
【図１】従来の中空構造の複層樹脂板の外形図である。
【図２】封印材料の外形図である。
【図３】本考案の断熱パネルの外形図である。
【符号の説明】
１  中空構造の複層樹脂板
２  中空部
３  端面
４  封印材料
【図１】
0003147620.tif 000003
【図２】
0003147620.tif 000004
【図３】
0003147620.tif 000005
【手続補正書】
【提出日】平成20年10月7日(2008.10.7)
【手続補正１】
【補正対象書類名】実用新案登録請求の範囲
【補正対象項目名】全文
【補正方法】変更
【補正の内容】
【実用新案登録請求の範囲】
【請求項１】
断面が複数の中空構造で構成され、この中空構造を縦溝方向にして板状に成型し、中空縦溝と直交する２つの端面構造となっている中空構造の複層樹脂板において、この２つの端面を樹脂板又は金属板による封印材料で接着固定した事を特徴とする断熱パネル。
【手続補正２】
【補正対象書類名】明細書
【補正対象項目名】０００２
【補正方法】変更
【補正の内容】
【０００２】  従来の技術は図１のごとく、中空構造の複層樹脂板１は製造上の理由から中空部２を形成して製造し、中空縦溝と直交する任意の長さで切断し、２つの端面３で構成されていた。このためこれを断熱材として使う為には端面３をアルミテープや樹脂テープを貼って空気の流れを防止して使っていた。
(57)【要約】      （修正有）【課題】不動産取引の適正化を図ることができる重要事項説明書付不動産取引契約書面を提供する。【解決手段】従来のＢ４版からＡ３版に替えて、記載文字・記入欄を大きくし、主任者が説明をしやすく、借主・買主が読みやすくした。尚二重記入もなくなり、かつ項目に番号やイ、ロ、ハ、の記号や□欄を設けて、宅建業者・主任者名等をゴム印が使用できる欄等を作り、できるだけ主任者の記入欄を大きく、記入しやすい様にした。よって二重記載もなくなり、簡単に主任者が作成できるため、一体化により物理的にも必ず借主・買主に重要事項説明書の発行につながる。【選択図】図１
0003147612.tif 000002
【実用新案登録請求の範囲】
【請求項１】
宅地建物取引主任者（以下主任者という）は宅地建物取引業法（以下宅建業法という）に基づき主任者は不動産取引に使用する契約書と宅建業法第３５条の重要事項説明書（以下重説という）の二冊に分別されて、重説を発行しない主任者もいたので、契約書と重説と一体化を計った。
【考案の詳細な説明】
【考案の詳細な説明】
【産業上の利用分野】
【０００１】  宅建業法に定められた各書面である。
【背景技術】
【０００２】  従来の重説と契約書がＢ４版で、重説の作成が困難だった。
【考案が解決しようとする課題】
【０００３】  必ず借主・買主に重説が物理的に発行される様に構成し、従来の契約書面と重説の一体化によって、重説の発行を楽にした。
【課題を解決するための手段】
【０００４】  従来のＢ４版からＡ３版に替えて、記載文字・記入欄を大きくし、主任者が説明をしやすく、借主・買主が読みやすくした。尚二重記入もなくなり、かつ項目に番号・イ、ロ、ハ、の記号・□欄を設けて、宅建業者・主任者名等をゴム印が使用できる欄等を作り、できるだけ主任者の記入欄を大きく、記入しやすい様にした。よって二重記載もなくなり、簡単に主任者が作成できるため、又一体化により物理的にも必ず借主・買主に重説の発行につながります。
【考案を実施するための最良の形態】
【０００５】  印刷物であるから、簡単に作成実施・形態もできます。
【考案の効果】
【０００６】  重説の無発行がなくなり、借主・買主の信頼性は大きい。
【図面の簡単な説明】書面なので、現物のコピー紙を添付して、図面の代わりに致します。
0003147612.tif 000003
0003147612.tif 000004
0003147612.tif 000005
0003147612.tif 000006
0003147612.tif 000007
0003147612.tif 000008
0003147612.tif 000009
0003147612.tif 000010
0003147612.tif 000011
0003147612.tif 000012
0003147612.tif 000013
0003147612.tif 000014
0003147612.tif 000015
0003147612.tif 000016
0003147612.tif 000017
0003147612.tif 000018
0003147612.tif 000019
【手続補正書】
【提出日】平成20年10月1日(2008.10.1)
【手続補正１】
【補正対象書類名】実用新案登録請求の範囲
【補正対象項目名】全文
【補正方法】変更
【補正の内容】
【実用新案登録請求の範囲】
【請求項１】
宅地建物取引主任者（以下主任者という）は宅地建物取引業法（以下宅建業法という）に基づき主任者は不動産取引に使用する契約書と宅建業法第３５条の重要事項説明書（以下重説という）の二冊に分別されて、重説を発行しない主任者もいたので、契約書と重説と組合せにて一体化を計った重要事項説明書付不動産取引契約書面の印刷物。
【手続補正２】
【補正対象書類名】明細書
【補正対象項目名】全文
【補正方法】変更
【補正の内容】
【考案の詳細な説明】
【考案の詳細な説明】
【産業上の利用分野】
【考案の詳細な説明】
【産業上の利用分野】
【０００１】  宅建業法に定められた各書面である。
【背景技術】
【０００２】  従来の重説と契約書がＢ４版で、重説の作成が困難だった。
【考案が解決しようとする課題】
【０００３】  必ず借主・買主に重説が物理的に発行される様に構成し、従来の契約書面と重説の一体化によって、重説の発行を楽にした。
【課題を解決するための手段】
【０００４】  従来のＢ４版からＡ３版に替えて、記載文字・記入欄を大きくし、主任者が説明をしやすく、借主・買主が読みやすくした。尚二重記入もなくなり、かつ項目に番号・イ、ロ、ハ、の記号・□欄を設けて、又宅建業者・主任者名等をゴム印が使用できる欄等を作り、できるだけ主任者の記入欄を大きく、記入しやすい様にした。よって二重記載もなくなり、簡単に主任者が作成できるため、又一体化により物理的にも必ず借主・買主に重説の発行につながります。
【考案を実施するための最良の形態】
【０００５】  印刷物であるから、簡単に作成実施・形態もできます。
【考案の効果】
【０００６】  重説の無発行がなくなり、借主・買主の信頼性は大きい。
【図面の簡単な説明】
【０００７】
【図１】は重要事項説明書付建物賃貸借契約書の第１面図を示す。
【図２】は重要事項説明書付建物賃貸借契約書の第２面図を示す。
【図３】は重要事項説明書付建物賃貸借契約書の第３面図を示す。
【図４】は重要事項説明書付建物賃貸借契約書の第４面図を示す。
【図５】は重要事項説明書付不動産売買契約書の第１面図を示す。
【図６】は重要事項説明書付不動産売買契約書の第２面図を示す。
【図７】は重要事項説明書付不動産売買契約書の第３面図を示す。
【図８】は重要事項説明書付不動産売買契約書の第４面図を示す。
【手続補正３】
【補正対象書類名】図面
【補正対象項目名】全図
【補正方法】変更
【補正の内容】
【図１】
0003147612.tif 000020
【図２】
0003147612.tif 000021
【図３】
0003147612.tif 000022
【図４】
0003147612.tif 000023
【図５】
0003147612.tif 000024
【図６】
0003147612.tif 000025
【図７】
0003147612.tif 000026
【図８】
0003147612.tif 000027
(57)【要約】      （修正有）【課題】内部に機器を収納した後、ケースより取り出さなければ機器を使用できないという不便さを、正面部を透明部材で構成することで機器を収納したまま正面部の上からボタン操作を可能にし、表面の柄のデザインを幾通りか自由に取りかえることによりケース自体を自由にデザインできるデジタルオーディオ携帯用ケースを提供する。【解決手段】デジタルオーディオ携帯用ケースにおいて、背面部と透明な材料で製作された正面部との間に側面部を設け、その両端に開口部を設ける。該背面部を硬い材料で構成し、且つ一部、または全部を伸縮素材で構成し、背面部から正面部にかけ取り外し可能な部材を設置する。【選択図】図２
0003147800.tif 000002
【実用新案登録請求の範囲】
【請求項１】
背面部と透明部材で構成された正面部との間に側面部を設け、その前端に開口を有するデジタルオーディオ携帯用ケースにおいて、上記背面部を硬い部材で構成し、且つ一部，または全部を伸縮素材で構成し、背面部から正面部にかけ取り外し可能な部材を有することを特徴としたデジタルオーディオ携帯用ケース。
【考案の詳細な説明】
【技術分野】
【０００１】    本考案はデジタルオーディオ携帯機器を収納したまま、透明部材で構成された正面部の上からボタン操作を容易に行えるようにし、表面に取付可能な部材を有するデジタルオーディオ携帯用ケースに関するものである。
【背景技術】
【０００２】    従来ケース本体の開口端部の一側に蓋片の基端部を取付け、蓋片の先端部分とケース本体の端部の他側の対応箇所にファスナーを設けたケースが知られている。
【考案の開示】
【考案が解決しようとする課題】
【０００３】    内部に機器を収納した後、蓋片の先端部をファスナーに係合して開口端部を閉じ、また機器を使用する時に閉口端部を開いてケースより取り出さなければならないという不便さ、視覚的デザインに変化が無いことを解決するものである。
【課題を解決しようとするための手段】
【０００４】  本考案は、正面部を透明部材で構成することで機器を収納したまま正面部の上からボタン操作が可能になり、収納する機器の寸法に対応するべく一部又は全部を弾性部材で構成され、表面の柄のデザインを幾通りか自由に取りかえることによりケース自体を自由にデザインすることが可能なデジタルオーディオ携帯用ケースを提案するものである。
【考案の効果】
【０００５】  ケース内に収納されている機器の寸法に対応して透明部材で構成される正面部がボタン面上に密着して張設されるため、ケース内に機器を収納したまま正面部の上から容易にボタン操作をすることができ、表面を取り外すことにより視覚的デザインが変化する。
【考案の実施するための最良の形態】
【０００６】  機器のボタン面を正面部に対向させて機器をケース内に収納し、一部又は全部が弾性部材で構成されているため、機器の厚みに対して正面部が部材の弾性によりボタン面に密着して張設されるため、正面部とボタン面との間に隙間が生ずることなくケース内に機器を収納したまま正面部の上から容易にボタン操作をすることができ、背面部のホルダーから表面の取付可能な部材を取り外すことにより視覚的デザインが変化する。
【実施例】
【０００７】  以下、添付図面に従って一実施例を説明する。本考案は１の表面の柄を幾通りか自由に差し換えることによりケース自体を自由にデザインすることが可能になり、１を取り外しすることで図３のような形で使用可能な仕組みとなる。
【図面の簡単な説明】
【０００８】
【図１】  この考案の実施例を示すケース本体と取付可能な部分の例
【図２】  同上の実施例における取付可能な一部を外す時のケース例
【図３】  同上の実施例における取付可能な一部を外した後のケース例
【符号の説明】
【０００９】  １は表面の色や柄を自由にデザインできる取付可能部分の例
２は正面部の透明部材の例
【図１】
0003147800.tif 000003
【図２】
0003147800.tif 000004
【図３】
0003147800.tif 000005
(57)【要約】      （修正有）【課題】下水道マンホールの周辺地盤が地震時に液状化して、浮き上がるのを防止するためのマンホール構造を提供する。【解決手段】掘削終了後、基礎栗石５を敷き均して工場製品の底版３を設置する。この上に直壁管１ｃをのせ所定位置に下水管６を取り付けた後、場所打ちコンクリート底版４を打設、底版上面には下水路７を設ける。最上段の直壁管１ｃまで組み立てた段階で、マンホール直壁管の周囲を十分締め固めしながら埋め戻しする。直壁管１ｃの上に中空コンクリート円筒管８をのせて，この管相互を連結板９ｂで連結する。更にマンホール斜壁管１ｂ、マンホール蓋受け枠体１ａを組み立てる、この後、中空コンクリート円筒管８の円形突出部上面に十分に締めながら埋め戻し、土１２を施工して、その上に舗装１０ａを行い完成する。【選択図】図１
0003147793.tif 000002
【実用新案登録請求の範囲】
【請求項１】
マンホール直壁管の最上部に，内壁径はマンホール直壁管と同径で外壁径はマンホール直壁管外径の１．２−１．８倍の大きさをもつ，短い中空コンクリート円筒管が組み込まれて，マンホール直壁管の外側に突出部が形成され，突出部上面には埋め戻し砕石及び舗装がされてなることを特徴とするマンホール浮き上がり防止構造。
【請求項２】
短い中空コンクリート円筒管の内壁と下段の直壁管の内壁は連結板で結合されてなることを特徴とする請求項１記載のマンホール浮き上がり防止構造。
【考案の詳細な説明】
【技術分野】
【０００１】  本考案は、下水道マンホールの周辺地盤が地震時に液状化して、浮き上がるのを防止するためのマンホール構造に関するものである。
【背景技術】
【０００２】  下水道マンホールは、地震時の液状化により浮き上がり事故が多発しており，管渠の水が流れなくなったり、道路が盛り上がるなどの障害が起こっている。これはマンホールの周辺地盤が細砂層で地下水位が高い場合に、強い地震により地盤が液状化を起こしマンホールに大きな浮力が働くためである。
この対策として、マンホールにかかる重量を大きくする，鋼棒などで非液状化層にアンカーするなどの方法が考えられるが、さらに構造面、施工性、安全性などに検討の余地が残されている。
【考案の開示】
【考案が解決しようとする課題】
【０００３】  マンホールの浮き上がり防止方法として、１）マンホール周辺地盤を液状化し難い砕石等で裏込めする、２）マンホールに鋼棒等を取り付けて非液状化層まで入れてアンカーする、３）マンホールの自重を大きくする方法等がある。マンホール新設工事において、浮き上がり防止工事を追加して行うため、道路上の作業量が多くなり、長時間の交通規制を行う必要があり、さらに時間短縮できる合理的な方法が望まれている。
この解決のため、工場製品のマンホール部材を現地で組み立てするとき、マンホールの自重を大きくするための部材を用意して、一連の組立作業を行うことにより短時間で工事を完成出来る。
【解決するための手段】
【０００４】  新設のマンホールの場合、通常は工場製品の各部材を現地に搬入して、掘削完了後に順次，底版、直壁管、斜壁管，蓋受け枠を組み立てる。本考案は組立工程の中で、直壁管の最上部に外径が１．２−１．８倍、内径が直壁管と同じ直径の短い中空コンクリート円筒管を、直壁管の最上部に組み込んで円形突起部を形成して，該円筒管の自重と突起部上面にかかる埋め戻し土と舗装の重量により、マンホールの浮き上がりを抑止する。これにより、通常のマンホール工事とほぼ同じ工程で浮き上がり防止構造を備えたマンホールを完成できる。
【考案の効果】
【０００５】  本考案によれば，新設マンホールの場合には、通常の工事とほぼ同じ工程で浮き上がり防止構造を備えたマンホールを設置することができる。直壁管の最上部に組み込んだ、外径が直壁管の１．２−１．８倍大きい中空コンクリート円筒管は、マンホール外周に円形突起部を形成して、自重と突起部上面にかかる埋め戻し土の重量により、マンホールの浮き上がりを防止する。
【考案を実施するための最良の形態】
【０００６】工場製品の各部材を現地に搬入して、掘削終了後、底版、直壁管を組み立て、マンホール周辺の埋め戻し土を十分締め固めながら施工する．次に、突起部を形成する中空コンクリート円筒管、斜壁管、マンホール蓋受け枠を順次組み立て施工し、その後、中空コンクリート円筒管上面に十分の締め固めして埋め戻し土、舗装を施工する。
【実施例】
【０００７】  以下添付図に従い実施例を説明する。
図Ｉ［Ａ］は新設マンホールの縦断面図を示し、掘削終了後、基礎栗石５を敷き均して工場製品の底版３を設置する。この上に直壁管１ｃをのせ所定位置に下水管６を取り付けた後、場所打ちコンクリート底版４を打設、底版上面には下水路７を設ける。最上段の直壁管１ｃまで組み立てた段階で、マンホール直壁管の周囲を十分締め固めしながら埋め戻しする。
直壁管１ｃの上に中空コンクリート円筒管８をのせて，この管相互を連結板９で連結する。更にマンホール斜壁管１ｂ、マンホール蓋受け枠体１ａを組み立てる、この後、中空コンクリート円筒管８の円形突出部上面に十分に締めながら埋め戻し土１２を施工して、その上に舗装１０を行い完成する。
【図面の簡単な説明】
【０００８】
【図１】［Ａ］は図２に示すＩ−Ｉ線のマンホール縦断面図、［Ｂ］はマンホール周辺の土質柱状図
【図２】は図１［Ａ］に示すＩＩ−ＩＩ線のマンホール横断面図
【図３】［Ａ］は直壁管と中空コンクリート円筒管及び斜壁管の結合状態を示す拡大断面図、［Ｂ］は内壁側の拡大正面図
【符号の説明】
【０００９】  １ａ  マンホール蓋受け枠体
１ｂ  斜壁管
１ｃ  直壁管
２    マンホール蓋
３    底版
４    場所打ちコンクリート底版
５    基礎栗石
６    下水管
７    下水路
８    中空コンクリート円筒管
９ａ  ボルト
９ｂ  結合板
９ｃ  ナット
１０ａ  舗装
１０ｂ  液状化層
１１    地下水位
１２    埋め戻し土
【図１】
0003147793.tif 000003
【図２】
0003147793.tif 000004
【図３】
0003147793.tif 000005
(57)【要約】      （修正有）【課題】禁煙の効果が一目で分かり、禁煙を促進することができる禁煙の為の硬貨カレンダーケースを提供する。【解決手段】Ａ４サイズ透明アクリル板背面に同サイズの月めくりカレンダ−を収納し、正面には、そのカレンダ−日付位置に合わせた透明コイン収納ポケットを設け、禁煙を果たした日、たばこ代相当額をそのポケットに入れ、日付を硬貨で隠すことを特長とする禁煙の為の硬貨カレンダ−ケ−スである。【選択図】図２
0003147791.tif 000002
【実用新案登録請求の範囲】
【請求項１】
Ａ４サイズ透明アクリル板背面に同サイズ月めくりカレンダ−、正面にはそのカレンダ−日付け位置に合わせた透明コイン収納ポケットを横１週間７日分、縦６行合わせて３７個（最終週６行目は日曜日、月曜日の２個のみ）を設ける。禁煙を果たした日、そのコイン収納ポケットに、たばこ代相当額（１００円硬貨３枚、あるいは、５００円硬貨１枚収納可）を入れ、その日付けを硬貨で隠す。この事により、禁煙に向けての歯車が日々動き、硬貨が蓄積され、結果が数値として確認出来る、これを特長とする禁煙促進の為の硬貨カレンダ−ケ−ス。
【考案の詳細な説明】
【技術分野】
【０００１】  本考案は、月めくりカレンダ−とコイン収納ポケットを一体化した、禁煙促進に関するものである。
【背景技術】
【０００２】  喫煙は、今や社会的問題となっており、喫煙者としては、肩身の狭い状況で、出来ることならば禁煙したいとの願望を抱いている。
【考案の開示】
【考案が解決しようとする課題】
【０００３】  禁煙は、当事者の努力次第ではあるが、悲しいかな、挑戦はしてみるものの挫折することが多い。挫折の背景は、単独努力の限界、目的・目標の消滅が見られ、これらを単純に解決しようとするものである。
【課題を解決するための手段】
【０００４】  本考案は、カレンダ−と硬貨入れを一体させることにより、禁煙の効果が一目瞭然確認することが出来、苦痛であった禁煙を、硬貨の増える喜びに変換することが出来る。
【考案の効果】
【０００５】  上述のように、本考案の禁煙硬貨（効果）カレンダ−ケ−スは、禁煙に向けての歯車が日々動いていることを、本人は勿論のこと、家族等も確認することが出来、暖かい声援を受け、達成感・満足感がその効果として現われる。
【考案を実施するための最良の形態】
【０００６】  ケ−ス本体のアクリル板は、１００円硬貨９３枚（３Ｘ３１日）の収納に耐え得る強度の物であることが必要で、硬貨収納ポケットは、コインの出入が容易となるよう、余裕をもった半円状の物でよく、月初め、前月分貯まった硬貨は別容器に移し替える。
【実施例】
【０００７】  以下、添付図面に従って一実施例を説明する。１は厚さ０，５ミリ程度のＡ４サイズ透明アクリル板、２は１００円硬貨３枚を重ねて入れる、５００円硬貨程度の半円面積を持った透明コイン収納ポケット、３は月毎のＡ４カレンダ−１２枚が入るカレンダ−収納部、これらが一体となったケ−スである。
【図面の簡単な説明】
【０００８】
【図１】本考案の一実施例を示す正面図である。
【図２】本考案の使用状態を示す斜視図である。
【符号の説明】
【０００９】１  ケ−ス本体
２  硬貨収納ポケット
３  カレンダ−収納部
【図１】
0003147791.tif 000003
【図２】
0003147791.tif 000004
【手続補正書】
【提出日】平成20年10月9日(2008.10.9)
【手続補正１】
【補正対象書類名】実用新案登録請求の範囲
【補正対象項目名】請求項１
【補正方法】変更
【補正の内容】
【請求項１】
Ａ４サイズ透明アクリル板背面に同サイズ月めくりカレンダ−、正面には、そのカレンダ−日付位置に合わせた透明コイン収納ポケットを設け、禁煙を果たした日、たばこ代相当額をそのポケットに入れ、日付を硬貨で隠すことを特長とする禁煙の為の硬貨カレンダ−ケ−ス。